(57)【特許請求の範囲】
【請求項１】
通信手段と、
利用者からの操作を受け付ける受付手段と、
前記通信手段と前記受付手段の少なくとも一方で受け付けた処理要求に応じた処理を実行する処理手段と、
前記通信手段により端末から電源断要求を受信した場合に、前記受付手段により利用者から受け付ける操作を処理中でなく、該電源断要求の処理モードに応じて定められる条件を満足するときに、前記処理手段を停止させ電源を切断する電源断制御手段と、
前記通信手段により端末から通常切断モードの電源断要求を受信した場合に、前記処理手段により実行する処理があるときには、該端末に強制切断モードの電源断を実行するか否かを問い合わせる手段と、を含み、
前記電源断制御手段は、前記問い合わせに応じて前記通信手段により端末から強制切断モードの電源断要求を受信した場合に、前記受付手段により利用者から受け付ける操作を処理中でないときに、前記処理手段を強制的に停止させ電源を切断する
処理装置。
【請求項２】
前記電源断制御手段は、前記通信手段により端末から通常切断モードの電源断要求を受信した場合に、前記受付手段により利用者から受け付ける操作を処理中でなく、前記処理手段により実行する処理がなく、前記通信手段と前記受付手段により新たな処理要求の受け付けを停止可能であるときに、前記処理手段を停止させ電源を切断する
請求項１に記載の処理装置。
【請求項３】
前記電源断制御手段は、前記通信手段により端末から強制切断モードの電源断要求を受信した場合に、前記受付手段により利用者から受け付ける操作を処理中でないときに、前記処理手段を強制的に停止させ電源を切断する
請求項１に記載の処理装置。
【請求項４】
前記電源断制御手段は、前記端末から取得した管理者認証情報が適正でない場合には、前記電源を切断する処理を実行しない
請求項１乃至３のいずれかに記載の処理装置。
【請求項５】
前記電源断要求の処理モードは、前記端末が利用者から受け付けた操作に基づいて設定される
請求項１乃至４のいずれかに記載の処理装置。
【請求項６】
通信手段と、
利用者からの操作を受け付ける受付手段と、
前記通信手段と前記受付手段の少なくとも一方で受け付けた処理要求に応じた処理を実行する処理手段と、を備えるコンピュータを、
前記通信手段により端末から電源断要求を受信した場合に、前記受付手段により利用者から受け付ける操作を処理中でなく、該電源断要求の処理モードに応じて定められる条件を満足するときに、前記処理手段を停止させ電源を切断する電源断制御手段、及び
前記通信手段により端末から通常切断モードの電源断要求を受信した場合に、前記処理手段により実行する処理があるときには、該端末に強制切断モードの電源断を実行するか否かを問い合わせる手段として機能させるためのプログラムであって、
前記電源断制御手段は、前記問い合わせに応じて前記通信手段により端末から強制切断モードの電源断要求を受信した場合に、前記受付手段により利用者から受け付ける操作を処理中でないときに、前記処理手段を強制的に停止させ電源を切断する
ことを特徴とするプログラム。
【発明の詳細な説明】
【技術分野】
【０００１】
本発明は、処理装置及びプログラムに関する。
【背景技術】
【０００２】
ユーザから受け付けた要求を処理する処理装置において、ユーザからの処理要求を一定期間受け付けていない場合には、省電力モードに切り替えることがある。例えば、特許文献１では、処理装置にリモートから省電力モードに移行させる制御信号を送信し、処理装置は省電力モードに移行可能な場合には省電力モードに移行する処理を実行している。
【先行技術文献】
【特許文献】
【０００３】
【特許文献１】特開２００６−１７５８１４号公報
【発明の概要】
【発明が解決しようとする課題】
【０００４】
本発明の目的は、受け付けている操作や処理の状況に応じてリモートから電源を切断することができる処理装置及びプログラムを提供することにある。
【課題を解決するための手段】
【０００５】
請求項１に係る発明は、通信手段と、利用者からの操作を受け付ける受付手段と、前記通信手段と前記受付手段の少なくとも一方で受け付けた処理要求に応じた処理を実行する処理手段と、前記通信手段により端末から電源断要求を受信した場合に、前記受付手段により利用者から受け付ける操作を処理中でなく、該電源断要求の処理モードに応じて定められる条件を満足するときに、前記処理手段を停止させ電源を切断する電源断制御手段と、を含む処理装置である。
【０００６】
請求項２に係る発明は、前記電源断制御手段は、前記通信手段により端末から通常切断モードの電源断要求を受信した場合に、前記受付手段により利用者から受け付ける操作を処理中でなく、前記通信手段で受け付けた処理要求に応じた処理を実行中でなく、前記通信手段と前記受付手段により新たな処理要求の受け付けを停止可能であるときに、前記処理手段を停止させ電源を切断する請求項１に記載の処理装置である。
【０００７】
請求項３に係る発明は、前記電源断制御手段は、前記通信手段により端末から通常切断モードの電源断要求を受信した場合であって、前記通信手段で受け付けた処理要求に応じた処理を実行中である場合には、該実行中の処理の完了を待ってから、前記受付手段により利用者から受け付ける操作を処理中でなく、前記通信手段と前記受付手段により新たな処理要求の受け付けを停止可能であるときに、前記処理手段を停止させ電源を切断する請求項１に記載の処理装置である。
【０００８】
請求項４に係る発明は、前記電源断制御手段は、前記通信手段により端末から強制切断モードの電源断要求を受信した場合に、前記受付手段により利用者から受け付ける操作を処理中でないときに、前記処理手段を強制的に停止させ電源を切断する請求項１に記載の処理装置である。
【０００９】
請求項５に係る発明は、前記通信手段により端末から通常切断モードの電源断要求を受信した場合に、前記受付手段により利用者から受け付ける操作を処理中であるときには、該端末に強制切断モードの電源断を実行するか否かを問い合わせる手段をさらに含み、前記電源断制御手段は、前記問い合わせに応じて前記通信手段により端末から強制切断モードの電源断要求を受信した場合に、前記受付手段により利用者から受け付ける操作を処理中でないときに、前記処理手段を強制的に停止させ電源を切断する請求項１に記載の処理装置である。
【００１０】
請求項６に係る発明は、前記電源断制御手段は、前記端末から取得した管理者認証情報が適正でない場合には、前記電源を切断する処理を実行しない請求項１乃至５のいずれかに記載の処理装置である。
【００１１】
請求項７に係る発明は、通信手段と、利用者からの操作を受け付ける受付手段と、前記通信手段と前記受付手段の少なくとも一方で受け付けた処理要求に応じた処理を実行する処理手段と、を備えるコンピュータを、前記通信手段により端末から電源断要求を受信した場合に、前記受付手段により利用者から受け付ける操作を処理中でなく、該電源断要求の処理モードに応じて定められる条件を満足するときに、前記処理手段を停止させ電源を切断する電源断制御手段として機能させるためのプログラムである。
【発明の効果】
【００１２】
請求項１及び７に係る発明によれば、受け付けている操作や処理の状況に応じてリモートから電源を切断することができる。
【００１３】
請求項２に係る発明によれば、既に受け付けている操作や処理を強制終了させることなくリモートから安全に電源を切断することができる。
【００１４】
請求項３に係る発明によれば、実行中の処理を強制終了させることなくリモートから安全に電源を切断することができる。
【００１５】
請求項４に係る発明によれば、実行中の処理の有無によらずリモートから迅速に電源を切断することができる。
【００１６】
請求項５に係る発明によれば、実行中の処理がある場合にも利用者の選択に応じてリモートから迅速に電源を切断することができる。
【００１７】
請求項６に係る発明によれば、適正な権限を有していない端末からの要求に基づいて電源が切断されることがない。
【図面の簡単な説明】
【００１８】
【図１】本発明の実施形態に係る情報処理システムのシステム構成図である。
【図２】画像形成装置に備えられた一部のハードウェアの構成図である。
【図３】第１の実施例に係るリモート電源オフのシーケンス図である。
【図４】第２の実施例に係るリモート電源オフのシーケンス図である。
【図５】第３の実施例に係るリモート電源オフのシーケンス図である。
【図６】第４の実施例に係るリモート電源オフのシーケンス図である。
【図７】プリンタ管理画面の一例を示す図である。
【図８】管理者認証画面の一例を示す図である。
【図９】強制リモートオフ確認画面の一例を示す図である。
【図１０】プリンタ管理画面の一例を示す図である。
【発明を実施するための形態】
【００１９】
以下、本発明を実施するための実施の形態（以下、実施形態という）を、図面を参照しながら説明する。
【００２０】
［１．システム構成］
図１には、本発明の実施形態に係る情報処理システム１のシステム構成図を示した。図１に示されるように、情報処理システム１は、画像形成装置１０と情報端末２０を含み、画像形成装置１０と情報端末２０はネットワーク３０を介して相互にデータ通信可能に接続されている。なお、ネットワーク３０は、ローカルエリアネットワーク、ワイドエリアネットワークのいずれか又は両者を含み構成されていてもよい。
【００２１】
本実施形態では、画像形成装置１０は、通信機能、画像形成機能、スキャン機能、コピー機能等を有する多機能プリンタとしてよい。また、画像形成装置１０は、操作パネル等の操作受付部を備え、操作受付部でユーザから受け付けた操作に応じて、画像形成、スキャン、コピー等の機能を実行することとしてよい。
【００２２】
情報端末２０は、ユーザにより操作されるコンピュータであり、ネットワーク３０を介して画像形成装置１０に接続して、画像形成装置１０の管理を行うほか、画像形成装置１０に印刷ジョブを送信して画像形成装置１０に印刷処理を実行させることとしてよい。
【００２３】
本実施形態に係る画像形成装置１０は、ネットワーク３０を介して接続された情報端末２０からの電源オフ要求に応じ、画像形成装置１０の状態に基づき電源オフの処理を実行する機能を有する。
【００２４】
［２．ハードウェア構成］
図２には、画像形成装置１０に備えられた一部のハードウェアの構成図を示した。図２に示されるように、画像形成装置１０は、ＣＰＵ（Central Processing Unit）１００、システムメモリ１０１、ネットワークインターフェース１０２、ＡＳＩＣ（Application specific integrated circuit）１０３、ページメモリ１０４、電源スイッチ１０５、割込検出部１０６を備える。
【００２５】
ＣＰＵ１００は、画像形成装置１０の各部を制御する中央処理装置であり、例えばシステムメモリ１０１に記憶されるプログラムやデータに基づき処理を実行する。
【００２６】
システムメモリ１０１は、画像形成装置１０の制御用のプログラムやデータを格納する記憶部である。
【００２７】
ネットワークインターフェース１０２は、例えば無線又は有線のネットワークインターフェースカードにより実現され、ネットワーク３０に接続する他の装置とデータ通信するための通信用インターフェースである。
【００２８】
ＡＳＩＣ１０３は、画像形成装置１０に搭載される特定機能を実現する集積回路である。例えば、ＡＳＩＣ１０３は、画像形成機能、スキャン機能、コピー機能を実現する集積回路としてよい。
【００２９】
ページメモリ１０４は、ＡＳＩＣ１０３により利用されるメモリであり、例えば印刷ジョブにより印刷するページごとの画像データ、スキャンした原稿の画像データ等を格納するために用いられることとしてよい。
【００３０】
電源スイッチ１０５は、画像形成装置１０のＯＮ／ＯＦＦを切り替えるスイッチである。なお、電源スイッチ１０５は、画像形成装置１０への通電のＯＮ／ＯＦＦを切り替える主電源スイッチとは別に設けられており、画像形成装置１０をソフトウェア的にＯＮ／ＯＦＦを制御するための副電源スイッチである。ここで、電源スイッチ１０５自体には状態が定められておらず、画像形成装置１０がＯＦＦの状態で電源スイッチ１０５が押下されると画像形成装置１０をＯＮの状態に立ち上げ、画像形成装置１０がＯＮの状態で電源スイッチ１０５が押下されると画像形成装置１０をＯＦＦの状態に落とす処理が実行される。
【００３１】
割込検出部１０６は、電源スイッチ１０５が押下されたことを検知するとともにＣＰＵ１００に対して通知し、ＣＰＵ１００に電源ＯＮ／ＯＦＦに関する割り込み処理を実行させる。
【００３２】
ここで、電源スイッチ１０５によるソフトウェア電源ＯＦＦが実行されると、ＣＰＵ１００、ネットワークインターフェース１０２、ＡＳＩＣ１０３については通電が停止したＯＦＦ状態となり、システムメモリ１０１とページメモリ１０４についてはセルフリフレッシュモード又はＯＦＦ状態となり、割込検出部１０６については通常よりも電力供給が抑えられた省電力モード状態となる。なお、主電源スイッチによるハードウェア電源ＯＦＦが実行されると、全てのハードウェアについて通電が停止したＯＦＦ状態となる。
【００３３】
また、ソフトウェア電源オフの状態で、割込検出部１０６は、電源スイッチ１０５の押下を検出すると、ＣＰＵ１００等への電源を供給する電源供給回路を始動させて画像形成装置１０の立ち上げ処理を開始させる。
【００３４】
［３．処理の詳細の説明］
次に、図３〜図１０を参照しながら、情報処理システム１において情報端末２０からの要求に応じて画像形成装置１０の電源を落とすリモート電源オフに関する処理の詳細について説明する。以下では、第１〜第４の実施例として４パターンのリモート電源オフの処理について説明する。
【００３５】
［３−１．第１実施例］
まず、第１の実施例に係るリモート電源オフの処理について説明する。図３には、第１の実施例に係るリモート電源オフのシーケンス図を示した。
【００３６】
図３に示されるように、情報端末２０は、例えばユーザの操作に基づいて、画像形成装置１０にアクセスすると（Ｓ１０１）、画像形成装置１０は、プリンタ管理画面１０００の表示データを情報端末２０に送信する（Ｓ１０２）。情報端末２０は、画像形成装置１０から受信したプリンタ管理画面１０００の表示データに基づいて、例えば図７に示されるプリンタ管理画面１０００を表示する。
【００３７】
図７に示されるように、プリンタ管理画面１０００には、プリンタ名、プリンタのアドレス情報（ＩＰアドレス）、プリンタの状態が表示される。また、プリンタ管理画面１０００に表示される「稼働状況の確認」ボタン１００１が押下されると、例えば画像形成装置１０が実行中のジョブや受け付けたジョブ等の情報が表示される。そして、プリンタ管理画面１０００の「表示更新」ボタン１００２が押下されると、プリンタ管理画面１０００の表示の更新が画像形成装置１０に対して要求され、「再起動」ボタン１００３が押下されると、画像形成装置１０に対して再起動処理が要求される。さらに、プリンタ管理画面１０００の「電源を切る（リモートオフ）」ボタン１００４が押下されると、画像形成装置１０に対して通常のリモートオフ処理が要求され、プリンタ管理画面１０００の「強制的に電源を切る（強制リモートオフ）」ボタン１００５が押下されると、画像形成装置１０に対して強制リモートオフ処理が要求される。
【００３８】
第１の実施例においては、プリンタ管理画面１０００で「電源を切る（リモートオフ）」ボタン１００４が押下されて、情報端末２０がユーザからリモートオフの指示を受け付けると（Ｓ１０３）、情報端末２０は、画像形成装置１０に対してリモートオフを要求する（Ｓ１０４）。
【００３９】
画像形成装置１０は、ユーザが画像形成装置１０を操作中である場合には（Ｓ１０５：Ｙ）、情報端末２０にエラーを通知する（Ｓ１０６）。情報端末２０は、通知されたエラーに基づきエラーを表示して（Ｓ１０７）、処理を終了する。
【００４０】
また、画像形成装置１０は、ユーザが画像形成装置１０を操作中でない場合には（Ｓ１０５：Ｎ）、管理者認証画面を表示する表示データを情報端末２０に送信する（Ｓ１０８）。情報端末２０は、画像形成装置１０から受信した管理者認証画面の表示データに基づいて、例えば図８に示される管理者認証画面２０００を表示する。
【００４１】
図８に示されるように、管理者認証画面２０００には、管理者ＩＤの入力欄２００１と、パスワードの入力欄２００２、「キャンセル」ボタン２００３、「送信」ボタン２００４が設けられる。ここで、情報端末２０は、管理者認証画面２０００において、認証情報（管理者ＩＤの入力欄２００１と、パスワードの入力欄２００２に入力される情報）を受け付け（Ｓ１０９）、「送信」ボタン２００４が押下されると、情報端末２０は、受け付けた認証情報を画像形成装置１０に送信する（Ｓ１１０）。
【００４２】
画像形成装置１０は、情報端末２０から受信した認証情報による認証が成功しなかった場合（すなわち管理者ＩＤとパスワードの組が記憶されたデータと一致しなかった場合）には（Ｓ１１１：Ｎ）、情報端末２０に認証エラーを通知する（Ｓ１１２）。情報端末２０は、通知されたエラーに基づきエラーを表示して（Ｓ１０７）、処理を終了する。
【００４３】
画像形成装置１０は、情報端末２０から受信した認証情報による認証が成功した場合（すなわち管理者ＩＤとパスワードの組が記憶されたデータと一致した場合）には（Ｓ１１１：Ｙ）、管理者権限により処理を実行する管理者モードに移行する（Ｓ１１３）。
【００４４】
次いで、画像形成装置１０は、ジョブを実行中である（又は未処理のジョブがある）場合には（Ｓ１１４：Ｙ）、現在移行中の管理者モードを解除した上で、情報端末２０にエラーを通知する（Ｓ１１５）。情報端末２０は、通知されたエラーに基づきエラーを表示して（Ｓ１０７）、処理を終了する。
【００４５】
画像形成装置１０は、ジョブを実行中でない（且つ未処理のジョブがない）場合には（Ｓ１１４：Ｎ）、Ｓ１１６に進む。
【００４６】
画像形成装置１０は、Ｓ１１６で、ジョブの実行を停止するポーズモードに移行可能であるか否かを判定する（Ｓ１１６）。例えば、画像形成装置１０は、実行中の処理にフェイルが発生した状態であれば、ポーズモードへの移行を不可と判定することとしてよい。そして、画像形成装置１０は、ポーズモードへの移行が可能でない場合には（Ｓ１１６：Ｎ）、現在移行中の管理者モードを解除した上で、情報端末２０にエラーを通知する（Ｓ１１７）。情報端末２０は、通知されたエラーに基づきエラーを表示して（Ｓ１０７）、処理を終了する。
【００４７】
画像形成装置１０は、ポーズモードへの移行が可能である場合には（Ｓ１１６：Ｙ）、ポーズモードに移行して（Ｓ１１８）、Ｓ１１９に進む。
【００４８】
画像形成装置１０は、Ｓ１１９で、ジョブの新規受付を停止するオフラインモードに移行可能であるか否かを判定する（Ｓ１１９）。そして、画像形成装置１０は、オフラインモードへの移行が可能でない場合には（Ｓ１１９：Ｎ）、現在移行中のポーズモードを解除し、さらに管理者モードを解除した上で、情報端末２０にエラーを通知する（Ｓ１２０）。情報端末２０は、通知されたエラーに基づきエラーを表示して（Ｓ１０７）、処理を終了する。
【００４９】
画像形成装置１０は、オフラインモードへの移行が可能である場合には（Ｓ１１９：Ｙ）、オフラインモードに移行するとともに（Ｓ１２１）、ソフトウェアによる電源オフの処理を実行する（Ｓ１２２）。これにより、画像形成装置１０は、ＣＰＵ１００、ネットワークインターフェース１０２、ＡＳＩＣ１０３については通電が停止したＯＦＦ状態となり、システムメモリ１０１とページメモリ１０４についてはセルフリフレッシュモード又はＯＦＦ状態となり、割込検出部１０６については通常よりも電力供給が抑えられた省電力モード状態となる。
【００５０】
以上が第１の実施例に係るリモート電源オフの処理である。第１の実施例に係るリモート電源オフでは、リモート電源オフの要求受付時にシステムを安全に落とせる状態にある場合にシステムを落とすことができる。
【００５１】
［３−２．第２実施例］
次に、第２の実施例に係るリモート電源オフの処理について説明する。図４には、第２の実施例に係るリモート電源オフのシーケンス図を示した。
【００５２】
図４に示されるように、情報端末２０は、例えばユーザの操作に基づいて、画像形成装置１０にアクセスすると（Ｓ２０１）、画像形成装置１０は、プリンタ管理画面１０００の表示データを情報端末２０に送信する（Ｓ２０２）。情報端末２０は、画像形成装置１０から受信したプリンタ管理画面１０００の表示データに基づいて、例えば図７に示されるプリンタ管理画面１０００を表示する。
【００５３】
第２の実施例においては、プリンタ管理画面１０００で「電源を切る（リモートオフ）」が押下されて、情報端末２０がユーザからリモートオフの指示を受け付けると（Ｓ２０３）、情報端末２０は、画像形成装置１０に対してリモートオフを要求する（Ｓ２０４）。
【００５４】
画像形成装置１０は、ユーザが画像形成装置１０を操作中である場合には（Ｓ２０５：Ｙ）、情報端末２０にエラーを通知する（Ｓ２０６）。情報端末２０は、通知されたエラーに基づきエラーを表示して（Ｓ２０７）、処理を終了する。
【００５５】
また、画像形成装置１０は、ユーザが画像形成装置１０を操作中でない場合には（Ｓ２０５：Ｎ）、管理者認証画面２０００を表示する表示データを情報端末２０に送信する（Ｓ２０８）。情報端末２０は、画像形成装置１０から受信した管理者認証画面２０００の表示データに基づいて、例えば図８に示される管理者認証画面２０００を表示する。
【００５６】
情報端末２０は、管理者認証画面２０００において、認証情報（管理者ＩＤの入力欄２００１と、パスワードの入力欄２００２に入力される情報）を受け付け（Ｓ２０９）、「送信」ボタン２００４が押下されると、情報端末２０は、受け付けた認証情報を画像形成装置１０に送信する（Ｓ２１０）。
【００５７】
画像形成装置１０は、情報端末２０から受信した認証情報による認証が成功しなかった場合（すなわち管理者ＩＤとパスワードの組が記憶されたデータと一致しなかった場合）には（Ｓ２１１：Ｎ）、情報端末２０に認証エラーを通知する（Ｓ２１２）。情報端末２０は、通知されたエラーに基づきエラーを表示して（Ｓ２０７）、処理を終了する。
【００５８】
画像形成装置１０は、情報端末２０から受信した認証情報による認証が成功した場合（すなわち管理者ＩＤとパスワードの組が記憶されたデータと一致した場合）には（Ｓ２１１：Ｙ）、管理者権限により処理を実行する管理者モードに移行する（Ｓ２１３）。
【００５９】
次いで、画像形成装置１０は、ジョブを実行中である（又は未処理のジョブがある）場合には（Ｓ２１４：Ｙ）、新規ジョブの受付を停止し（Ｓ２１５）、現在受付済みのジョブの処理が終了したか否かを判定する（Ｓ２１６）。ここで、画像形成装置１０は、現在受付済みのジョブの処理が終了していない場合には（Ｓ２１６：Ｎ）、待機し、現在受付済みのジョブの処理が終了した場合には（Ｓ２１６：Ｙ）、Ｓ２１７に進む。
【００６０】
また、画像形成装置１０は、ジョブを実行中でない（且つ未処理のジョブがない）場合には（Ｓ２１４：Ｎ）、Ｓ２１７に進む。
【００６１】
画像形成装置１０は、Ｓ２１７で、ジョブの実行を停止するポーズモードに移行可能であるか否かを判定する（Ｓ２１７）。そして、画像形成装置１０は、ポーズモードへの移行が可能でない場合には（Ｓ２１７：Ｎ）、現在移行中の管理者モードを解除した上で、情報端末２０にエラーを通知する（Ｓ２１８）。情報端末２０は、通知されたエラーに基づきエラーを表示して（Ｓ２０７）、処理を終了する。
【００６２】
画像形成装置１０は、ポーズモードへの移行が可能である場合には（Ｓ２１７：Ｙ）、ポーズモードに移行して（Ｓ２１９）、Ｓ２２０に進む。
【００６３】
画像形成装置１０は、Ｓ２２０で、ジョブの新規受付を停止するオフラインモードに移行可能であるか否かを判定する（Ｓ２２０）。そして、画像形成装置１０は、オフラインモードへの移行が可能でない場合には（Ｓ２２０：Ｎ）、現在移行中のポーズモードを解除し、さらに管理者モードを解除した上で、情報端末２０にエラーを通知する（Ｓ２２１）。情報端末２０は、通知されたエラーに基づきエラーを表示して（Ｓ２０７）、処理を終了する。
【００６４】
画像形成装置１０は、オフラインモードへの移行が可能である場合には（Ｓ２２０：Ｙ）、オフラインモードに移行するとともに（Ｓ２２２）、ソフトウェアによる電源オフの処理を実行する（Ｓ２２３）。これにより、画像形成装置１０は、ＣＰＵ１００、ネットワークインターフェース１０２、ＡＳＩＣ１０３については通電が停止したＯＦＦ状態となり、システムメモリ１０１とページメモリ１０４についてはセルフリフレッシュモード又はＯＦＦ状態となり、割込検出部１０６については通常よりも電力供給が抑えられた省電力モード状態となる。
【００６５】
以上が第２の実施例に係るリモート電源オフの処理である。第２の実施例に係るリモート電源オフでは、リモート電源オフの要求受付時には処理するジョブが残っている場合であっても、システムを安全に落とせる状態になるまで待機した後にシステムを落とすことができる。
【００６６】
［３−３．第３実施例］
次に、第３の実施例に係るリモート電源オフの処理について説明する。図５には、第３の実施例に係るリモート電源オフ（強制リモート電源オフ）のシーケンス図を示した。
【００６７】
図５に示されるように、情報端末２０は、例えばユーザの操作に基づいて、画像形成装置１０にアクセスすると（Ｓ３０１）、画像形成装置１０は、プリンタ管理画面１０００の表示データを情報端末２０に送信する（Ｓ３０２）。情報端末２０は、画像形成装置１０から受信したプリンタ管理画面１０００の表示データに基づいて、例えば図７に示されるプリンタ管理画面１０００を表示する。
【００６８】
第３の実施例においては、プリンタ管理画面１０００で「強制的に電源を切る（強制リモートオフ）」が押下されて、情報端末２０がユーザから強制リモートオフの指示を受け付けると（Ｓ３０３）、情報端末２０は、画像形成装置１０に対して強制リモートオフを要求する（Ｓ３０４）。
【００６９】
画像形成装置１０は、ユーザが画像形成装置１０を操作中である場合には（Ｓ３０５：Ｙ）、情報端末２０にエラーを通知する（Ｓ３０６）。情報端末２０は、通知されたエラーに基づきエラーを表示して（Ｓ３０７）、処理を終了する。
【００７０】
また、画像形成装置１０は、ユーザが画像形成装置１０を操作中でない場合には（Ｓ３０５：Ｎ）、管理者認証画面２０００を表示する表示データを情報端末２０に送信する（Ｓ３０８）。情報端末２０は、画像形成装置１０から受信した管理者認証画面２０００の表示データに基づいて、例えば図８に示される管理者認証画面２０００を表示する。
【００７１】
情報端末２０は、管理者認証画面２０００において、認証情報（管理者ＩＤの入力欄２００１と、パスワードの入力欄２００２に入力される情報）を受け付け（Ｓ３０９）、「送信」ボタン２００４が押下されると、情報端末２０は、受け付けた認証情報を画像形成装置１０に送信する（Ｓ３１０）。
【００７２】
画像形成装置１０は、情報端末２０から受信した認証情報による認証が成功しなかった場合（すなわち管理者ＩＤとパスワードの組が記憶されたデータと一致しなかった場合）には（Ｓ３１１：Ｎ）、情報端末２０に認証エラーを通知する（Ｓ３１２）。情報端末２０は、通知されたエラーに基づきエラーを表示して（Ｓ３０７）、処理を終了する。
【００７３】
画像形成装置１０は、情報端末２０から受信した認証情報による認証が成功した場合（すなわち管理者ＩＤとパスワードの組が記憶されたデータと一致した場合）には（Ｓ３１１：Ｙ）、管理者権限により処理を実行する管理者モードに移行する（Ｓ３１３）。
【００７４】
次いで、画像形成装置１０は、ジョブを実行中であっても、実行中のジョブを強制終了し（Ｓ３１４）、電源オフが可能な状態となると、ソフトウェアによる電源オフの処理を実行する（Ｓ３１５）。これにより、画像形成装置１０は、ＣＰＵ１００、ネットワークインターフェース１０２、ＡＳＩＣ１０３については通電が停止したＯＦＦ状態となり、システムメモリ１０１とページメモリ１０４についてはセルフリフレッシュモード又はＯＦＦ状態となり、割込検出部１０６については通常よりも電力供給が抑えられた省電力モード状態となる。
【００７５】
以上が第３の実施例に係るリモート電源オフの処理である。第３の実施例に係るリモート電源オフでは、リモート電源オフの要求受付時には処理するジョブが残っている場合であっても、システムを迅速に落とすことができる。
【００７６】
［３−４．第４実施例］
次に、第４の実施例に係るリモート電源オフの処理について説明する。図６には、第４の実施例に係るリモート電源オフのシーケンス図を示した。
【００７７】
図６に示されるように、情報端末２０は、例えばユーザの操作に基づいて、画像形成装置１０にアクセスすると（Ｓ４０１）、画像形成装置１０は、プリンタ管理画面１０００の表示データを情報端末２０に送信する（Ｓ４０２）。情報端末２０は、画像形成装置１０から受信したプリンタ管理画面１０００の表示データに基づいて、例えば図７に示されるプリンタ管理画面１０００を表示する。
【００７８】
第４の実施例においては、プリンタ管理画面１０００で「電源を切る（リモートオフ）」が押下されて、情報端末２０がユーザからリモートオフの指示を受け付けると（Ｓ４０３）、情報端末２０は、画像形成装置１０に対してリモートオフを要求する（Ｓ４０４）。
【００７９】
画像形成装置１０は、ユーザが画像形成装置１０を操作中である場合には（Ｓ４０５：Ｙ）、情報端末２０にエラーを通知する（Ｓ４０６）。情報端末２０は、通知されたエラーに基づきエラーを表示して（Ｓ４０７）、処理を終了する。
【００８０】
また、画像形成装置１０は、ユーザが画像形成装置１０を操作中でない場合には（Ｓ４０５：Ｎ）、管理者認証画面２０００を表示する表示データを情報端末２０に送信する（Ｓ４０８）。情報端末２０は、画像形成装置１０から受信した管理者認証画面２０００の表示データに基づいて、例えば図８に示される管理者認証画面２０００を表示する。
【００８１】
情報端末２０は、管理者認証画面２０００において、認証情報（管理者ＩＤの入力欄２００１と、パスワードの入力欄２００２に入力される情報）を受け付け（Ｓ４０９）、「送信」ボタン２００４が押下されると、情報端末２０は、受け付けた認証情報を画像形成装置１０に送信する（Ｓ４１０）。
【００８２】
画像形成装置１０は、情報端末２０から受信した認証情報による認証が成功しなかった場合（すなわち管理者ＩＤとパスワードの組が記憶されたデータと一致しなかった場合）には（Ｓ４１１：Ｎ）、情報端末２０に認証エラーを通知する（Ｓ４１２）。情報端末２０は、通知されたエラーに基づきエラーを表示して（Ｓ４０７）、処理を終了する。
【００８３】
画像形成装置１０は、情報端末２０から受信した認証情報による認証が成功した場合（すなわち管理者ＩＤとパスワードの組が記憶されたデータと一致した場合）には（Ｓ４１１：Ｙ）、管理者権限により処理を実行する管理者モードに移行する（Ｓ４１３）。
【００８４】
次いで、画像形成装置１０は、ジョブを実行中である（又は未処理のジョブがある）場合には（Ｓ４１４：Ｙ）、強制リモート電源オフの確認画面を表示する表示データを情報端末２０に送信する（Ｓ４１５）。情報端末２０は、画像形成装置１０から受信した強制リモート電源オフの確認画面を表示する表示データに基づいて、例えば図９に示される強制リモートオフ確認画面３０００を表示する。
【００８５】
図９に示されるように、強制リモートオフ確認画面３０００には「キャンセル」ボタン３００１と「強制的に電源を切る（強制リモートオフ）」ボタン３００２とが設けられる。ここで、情報端末２０は、強制リモートオフ確認画面３０００において、「強制的に電源を切る（強制リモートオフ）」ボタン３００２が押下されると、画像形成装置１０に対して強制リモートオフを要求する（Ｓ４１７）。
【００８６】
画像形成装置１０は、情報端末２０から強制リモートオフの要求を受け付けると、ジョブを実行中であっても、実行中のジョブを強制終了し（Ｓ４１８）、電源オフが可能な状態となると、ソフトウェアによる電源オフの処理を実行する（Ｓ４１９）。これにより、画像形成装置１０は、ＣＰＵ１００、ネットワークインターフェース１０２、ＡＳＩＣ１０３については通電が停止したＯＦＦ状態となり、システムメモリ１０１とページメモリ１０４についてはセルフリフレッシュモード又はＯＦＦ状態となり、割込検出部１０６については通常よりも電力供給が抑えられた省電力モード状態となる。
【００８７】
また、Ｓ４１４において、ジョブを実行中でなく（且つ未処理のジョブがない）場合には（Ｓ４１４：Ｎ）、画像形成装置１０は、図３のＳ１１６に進む。図３のＳ１１６降の処理は既に説明したためここでの説明は省略する。
【００８８】
以上が第４の実施例に係るリモート電源オフの処理である。第４の実施例に係るリモート電源オフでは、リモート電源オフの要求受付時に処理するジョブが残っていない場合には、システムを安全に落とすことができ、また、リモート電源オフの要求受付時に処理するジョブが残っている場合であっても、システムを迅速に落とすことができる。
【００８９】
本発明は以上説明した実施形態に限定されるものではない。上記の実施形態では、情報端末２０が１台の画像形成装置１０に対してリモート電源オフを要求する例について説明したが、情報端末２０が複数台の画像形成装置１０を管理し、複数台の画像形成装置１０に対してまとめてリモート電源オフを要求することとしてもよい。
【００９０】
図１０は、情報端末２０が複数台の画像形成装置１０を管理する場合の管理画面（プリンタ管理画面４０００）の一例を示した。図１０に示されるように、プリンタ管理画面４０００には、プリンタ管理画面４０００に管理するプリンタを追加するための「追加」ボタン４００１、管理するプリンタの情報を編集するための「編集」ボタン４００２、管理するプリンタを削除するための「削除」ボタン４００３、管理するプリンタの状態情報の表示を更新するための「状態の更新」ボタン４００４、選択したプリンタに対してリモート電源オフを要求するための「電源を切る」ボタン４００５、管理するプリンタを全て選択するための「すべて選択」ボタン４００６、選択したプリンタの選択を解除するための「選択解除」ボタン４００７、管理するプリンタの状態を一覧表示するプリンタ状態表示テーブル４００８が含まれる。
【００９１】
プリンタ状態表示テーブル４００８には、選択用チェックボックス、プリンタ名、プリンタの機種、プリンタの状態が関連付けて表示される。情報端末２０は、１以上の管理プリンタの選択用チェックボックスにチェックが入れられた状態で、「電源を切る」ボタン４００５が押下されると、選択用チェックボックスにチェックが入れられたそれぞれのプリンタに対してリモート電源オフを要求することとしてよい。なお、各プリンタに対するリモート電源オフの処理は上述した処理を適用することができるのはもちろんである。
【符号の説明】
【００９２】
１  情報処理システム、１０  画像形成装置、２０  情報端末、３０  ネットワーク、１００  ＣＰＵ、１０１  システムメモリ、１０２  ネットワークインターフェース、１０３  ＡＳＩＣ、１０４  ページメモリ、１０５  電源スイッチ、１０６  割込検出部。
【要約】
【課題】受け付けている操作や処理の状況に応じてリモートから電源を切断する。
【解決手段】画像形成装置１０は、ネットワークＩ／Ｆ１０２と、利用者からの操作を受け付ける受付部と、ネットワークＩ／Ｆ１０２と受付部の少なくとも一方で受け付けた処理要求に応じた処理を実行する処理部と、ネットワークＩ／Ｆ１０２により端末から電源断要求を受信した場合に、受付部により利用者から受け付ける操作を処理中でなく、電源断要求の処理モードに応じて定められる条件を満足するときに、処理部を停止させ電源を切断する。
【選択図】図１【図１】
0005585703.tif 000002
【図２】
0005585703.tif 000003
【図３】
0005585703.tif 000004
【図４】
0005585703.tif 000005
【図５】
0005585703.tif 000006
【図６】
0005585703.tif 000007
【図７】
0005585703.tif 000008
【図８】
0005585703.tif 000009
【図９】
0005585703.tif 000010
【図１０】
0005585703.tif 000011